(57)【要約】      （修正有）【課題】子供から大人まで誰もが簡単に使用でき、眼部周辺に振動刺激を付与しながら眼球運動を同時に行える視力回復マッサージ器を提供する。【解決手段】視力回復マッサージ器を、クッション材で構成された本体部と装着バンドとを備えたものとし、本体部は、正面クッション部１と、該正面クッション部１の両端に位置し連結部３で一体とされている一対の側面クッション部２と、を有し、正面クッション部１は中央に突起面１ａを有し、該突起面１ａは鼻根部に当接可能であるとともに、該突起面１ａを除く正面クッション部１は瞼から離間するものであり、側面クッション部２は側頭部に当接可能であり、装着バンドは、一対の側面クッション部２の端部に配設されており、本体部は、装着バンドにより頭部に固定できるものとし、本体部の所望部位に、振動モータ７、電池８、スイッチ９からなる振動部材が内蔵されているものとする。【選択図】図５
0003213974.tif 000002
【実用新案登録請求の範囲】
【請求項１】
顔の鼻根部および側頭部に当接して装着する眼部周辺をマッサージする器具であって、
クッション材で構成された本体部と、装着バンドと、を備え、
前記本体部は、正面クッション部と、該正面クッション部の両端に位置し連結部で一体とされている一対の側面クッション部と、を有し、
前記正面クッション部は中央に突起面を有し、該突起面は鼻根部に当接可能であるとともに、該突起面を除く前記正面クッション部は瞼から離間するものであり、前記側面クッション部は側頭部に当接可能であり、
前記装着バンドは、一対の側面クッション部の端部に配設されており、前記本体部は、前記装着バンドにより頭部に固定でき、
前記本体部の所望部位に振動部材が内蔵されていることを特徴とする視力回復マッサージ器。
【請求項２】
前記クッション材は、発泡プラスチック材からなり、前記本体部の皮膚当接面は曲面形状であることを特徴とする請求項１に記載の視力回復マッサージ器。
【請求項３】
前記クッション材は、中空状であることを特徴とする請求項２に記載の視力回復マッサージ器。
【請求項４】
前記突起面の突起厚は、瞬目や眼球運動時に、少なくとも睫毛が正面クッション部に接触しない空間を確保できる厚みであることを特徴とする請求項１〜３のいずれかに記載の視力回復マッサージ器。
【請求項５】
前記振動部材は、偏心錘を有する回転モータによりバイブレーション機能を発現するもの、ソレノイドによるピストン運動によりバイブレーション機能を発現するもの、の少なくとも１種であることを特徴とする請求項１〜４のいずれかに記載の視力回復マッサージ器。
【請求項６】
前記正面クッション部は、偏心錘を有する回転モータによりバイブレーション機能を発現する前記振動部材を内蔵することを特徴とする請求項５に記載の視力回復マッサージ器。
【請求項７】
前記装着バンドは、シリコーン素材であるチューブ状支持体とゴムバンドから構成され、前記チューブ状支持体は曲面形状であることを特徴とする請求項１〜６のいずれかに記載の視力回復マッサージ器。
【請求項８】
前記ゴムバンドは、バンドの両端末が結束具で連結された紐状のヘアバンドであることを特徴とする請求項７に記載の視力回復マッサージ器。
【考案の詳細な説明】
【技術分野】
【０００１】  本考案は、子供でも簡単に使用でき、眼部周辺に振動刺激を付与して視力回復効果を促進できるマッサージ器に関する。
【背景技術】
【０００２】  パソコン、携帯電話、携帯ゲーム機等の近見作業の増加により、目の疲労、視力低下が社会問題となっている。長時間の近見作業は眼の筋肉を緊張させ疲労させる、緊張は瞬きの回数を減らし、顔の筋肉や首、肩の筋肉も疲労させる。眼の筋肉に疲労が蓄積すると凝りが発生し近視化が進むと言われている。【０００３】  眼部をマッサージする器具は多数提案されており市販されている。しかしながら、視力回復効果のある眼部マッサージ器は限られている。例えば、特開２００１−０００５０３号公報のアイマスクは、振動機能で眼部周辺のツボを刺激する構造で、眼部を覆うように装着し、マスク部には小孔があり、ピンホール効果で視力回復が可能と記載されている。また、実用新案３１３０３４６号公報は、目を閉じた状態で装着し、眼部を加温、加圧、振動機能でマッサージすることで近視の予防・治療が可能と記載されている。同様に、特許第３６６７２６８号公報および特開２００２−２５３６３１号公報は、眼部を瞼の上から振動等でマッサージする技術である。【０００４】  視力を回復させるには、目の疲労を癒しながら、眼球を動かす眼球運動を同時に行うことで効果が上がることが知られている。理由は、マッサージ、指圧、鍼、灸等の施術においては、患者は身体の力を抜きリラックスした状態を求められる、その上で、患部の凝りを解す施術が行われていることからも、視力回復にも同様な施策が必要と言える。【０００５】  眼部をマッサージする装着具で、かつ眼球運動が可能なゴーグルタイプの視力回復器が提案されている。例えば、特開２００６−１０２４０６号公報は、ツボ押し突起物によるマッサージ機能のある眼部周辺を覆う装着具で、眼球部は開口した構造で近視予防、視力回復が記載されている。また、特許第３４９４３７５号公報は、振動突起物で目の周りを押圧してマッサージしながら、同時に刺激方向に眼球を動かすことで視力回復が可能と記載されている。更に、特許第３１４８７９１号公報は、ゴーグル内に液晶画面が内蔵され、眼筋トレーニングである輻輳訓練や遠近凝視訓練が可能で、かつ、ゴーグル内の突起物でツボを刺激できる技術が開示されている。ただし、ツボを刺激するマッサージ機能と眼筋のトレーニングである眼球運動は別々に行う設定になっている。
【先行技術文献】
【０００６】
【特許文献１】特開２００１−０００５０３号公報
【特許文献２】実用新案第３１３０３４６号公報
【特許文献３】特許第３６６７２６８号公報
【特許文献４】特開２００２−２５３６３１号公報
【特許文献５】特開２００６−１０２４０６号公報
【特許文献６】特許第３４９４３７５号公報
【特許文献７】特許第３１４８７９１号公報
【考案の概要】
【本考案が解決しようとする課題】
【０００７】  従来の視力回復効果を目的とした眼部をマッサージする器具は、目を覆うように装着するアイマスクタイプ、または、目の周辺を囲むように装着し、かつ眼球運動が可能なゴーグルタイプの技術がある。しかしながら、目を覆うアイマスクタイプは、加温、加圧、振動等のマッサージ効果で眼の疲労を回復させる効果に優れるも、目を閉じた状態で使用されるか、又は、ピンホールマスクのように視界を限定するもので、視認動作を伴う眼球運動を行うことは困難であり視力回復効果は限定的であった。また、眼瞼の上から押圧または振動で刺激を与えるアイマスクは、角膜や眼球を過度に圧迫する危険性があり、更に、瞼の皮膚は薄く敏感であるため子供には使用しづらい欠点があった。眼球運動が可能なゴーグルタイプは、目の周りにある経穴（ツボ）を突起物で押圧する構造であり、ツボを振動等で刺激することで視力回復効果を高めることができる特徴がある。しかしながら、ツボを正確に捉える難しさや、また、指の押圧感を人工突起部で再現する難しさ、更に、子供にツボの位置を自覚させる難しさがあった。
【０００８】  以上のような従来の欠点を鑑み、子供でも簡単に使用でき、ツボの位置を気にすることなく、常に所定の部位を刺激しながら、瞬きや眼球を動かす眼球運動に支障はなく、目の周辺を蔽わない開放式の眼部マッサージ器であり、眼筋の緊張を弛める振動刺激を効果的に与えながら、と同時に眼筋の凝りを解す眼球運動を容易に行うことができる視力回復効果を促進できるマッサージ器を提供する事を目的としている。
【課題を解決するための手段】
【０００９】  上記目的を達成するため、本考案は、従来の眼部周辺のツボを刺激する方法ではなく、顔の筋肉（皮筋である表情筋）に着目し、表情筋をマッサージすることで眼筋の緊張を弛める方法を検討した結果、眼球上をドーナツ状に覆う眼輪筋と隣接し、かつ左右で挟む位置にある鼻根筋と側頭筋に刺激を与える方法で、更に、従来のツボを突起物で押圧するような点刺激の方法から、接触する皮膚面を振動で揺らす面刺激の方法を考案することで、眼筋の緊張を緩める効果が高まることを知得した。
【００１０】  本考案の視力回復マッサージ器は、顔の鼻根部および側頭部に当接して装着する眼部周辺をマッサージする器具であって、クッション材で構成された本体部と、装着バンドと、を備え、前記本体部は、正面クッション部と、該正面クッション部の両端に位置し連結部で一体とされている一対の側面クッション部と、を有し、前記正面クッション部は中央に突起面を有し、該突起面は鼻根部に当接可能であるとともに、該突起面を除く前記正面クッション部は瞼から離間するものであり、前記側面クッション部は側頭部に当接可能であり、前記装着バンドは、一対の側面クッション部の端部に配設されており、前記本体部は、前記装着バンドにより頭部に固定でき、前記本体部の所望部位に振動部材が内蔵されている。
【考案の効果】
【００１１】  本考案にあっては次に列挙する効果が得られる。本考案したマッサージ器は、本体部が鼻根部および側頭部に密着し、内蔵された振動部材の振動で皮筋である鼻根筋および側頭筋をマッサージする。更に、本体部の振動は、接触皮膚面から骨に伝搬する、鼻根部の鼻骨、側頭部の側頭骨に伝わり、両骨に挟まれた眼窩部にも振動が伝搬する。振動マッサージ効果で鼻根筋および側頭筋を弛緩させ、両皮筋に挟まれる眼輪筋の緊張を弛め、更に、眼窩内の眼筋をもリラックスさせる。ここでの眼筋とは、眼球運動に関与する外眼筋（内直筋、外直筋、上直筋、下直筋、上斜筋、下斜筋）および瞬目に関与する上眼瞼挙筋および眼輪筋を指す。
【００１２】  鼻根筋は、嫌な臭いを嗅いだ時に収縮する筋で、鼻に横皺をつくる、この筋を収縮させる動作は不快感と連動しており、顔の筋肉を緊張させる。逆に、鼻根筋を緩めることは顔の筋肉をリラックスさせる効果がある。側頭筋は、咀嚼筋の一つで、力作業や我慢するときに奥歯を噛み締める時に作用する筋であり、力を入れる動作や身構える動作で緊張する。側頭筋を緩めることで、連動する顎筋および頬筋の緊張を防ぐ効果がある。
【００１３】  近視が進むメカニズムは医学的に解明されていないが、長時間の近見作業は、目を疲労させ、目の周りの筋肉を強張らせ、瞬きの回数を極端に減らし、眼筋の動きを固定化する。筋肉は使用し過ぎても、使用しなくても疲労することが知られている、適度に使用することで機能を維持できると言われている。本考案のマッサージ器は、装着した状態で瞬きや眼球の動きを制限することはなく、家庭でＴＶを見ながら容易に眼球運動を行うことができ、子供でも継続し易いマッサージ器と言える。振動マッサージ効果で目の周りの筋肉の緊張を弛めることで、眼筋の緊張を弛め、瞬目の動きを正常化する。更に、遠くを眺める動作や、眼球を左右上下に動かす眼球運動を振動マッサージと共に実施することで、普段の生活において使用頻度が極端に少なくなった筋肉を効果的にトレーニングすることができ、本来の視機能を取り戻すことが可能となる。
【図面の簡単な説明】
【００１４】
【図１】  本考案マッサージ器の正面図です。
【図２】  本考案マッサージ器の側面図です。
【図３】  本考案マッサージ器の上面図です。
【図４】  本考案マッサージ器の立体図です。
【図５】  本考案マッサージ器の立体透視図です。
【図６】  本考案マッサージ器を装着した時の具体図です。
【図７】  本考案マッサージ器を装着した時の具体図です。
【考案を実施するための形態】
【００１５】  以下、本考案を実施の形態を図に基づいて説明する。
【００１６】  本考案は、顔の鼻根部と側頭部に当接して装着する目の周りを蔽わない開放式のマッサージ器であり、本体部は皮膚に接して心地良いクッション材からなり、正面クッション部は鼻根部にある鼻根筋を刺激し、側面クッション部は目じりから耳掛けライン上に密着して側頭筋を刺激することに特徴があり、本体部のクッション材には振動部材が内包され、振動はクッション部全体に伝播する構造であり、本体部は装着バンドで頭部に固定でき、子供でも装脱着がし易く、かつ、容易に所定の位置に保持でき、装着した状態で瞬きや眼球運動に支障はなく、眼部周辺に振動刺激を与えながら同時に眼球運動を実施することができる視力回復マッサージ器である。
【００１７】  図１〜図４に示されるように、本考案の視力回復マッサージ器は、クッション材で構成された本体部１，２と、装着バンド４，５と、を備え、本体部１，２は、正面クッション部１と、該正面クッション部１の両端に位置し連結部３で一体とされている一対の側面クッション部２と、を有している。本体部１，２の皮膚当接面は曲面形状であり、正面クッション部１は中央に突起面１ａを有し、該突起面１ａは鼻根部に当接し、突起面１ａを除く正面クッション部１は瞼から離間している。また、側面クッション部２は側頭部に当接し、装着バンド４，５は、一対の側面クッション部２の端部に配設されており、本体部１，２は、装着バンド４，５により頭部に固定できる。また、図５に示されるように、本体部の正面クッション部１には振動部材７が内蔵され、本体部の側面クッション部２には電池８、スイッチ９が内蔵され、振動部材７は図示されない配線により電池８、スイッチ９に接続されている。正面クッション部１と側面クッション部２は、軽量で柔軟性のある発泡ウレタンのような発泡プラスチック材からなるものであってよく、これにより、皮膚に接した際に心地よいものとなる。
【００１８】  図４は、本考案の視力回復マッサージ器の立体図である。本体部は皮膚に接して心地よいクッション材からなり、正面クッション部１が鼻根部窪みに接し、側面クッション部２は目じりと耳掛けラインにあるこめかみ周辺に接して装着できる形状である。本体部のクッション材は発砲ウレタンのような軽量で柔らかく、皮膚に接しても安全な発砲プラスチック素材からなる。正面クッション部１は、中央に突起面を設け、突起面は鼻根部の窪みに沿って当接できる形状が好ましく、適度な曲面形状が適している。前記突起面の厚みは、眼瞼から本体部を遠ざけ、瞬きしても睫毛が本体部クッション材に触れることがない適度な空間を確保できる厚みである。更に、前記突起面の厚みは、視野を広げる効果があり、視認動作を伴う眼球運動をより快適に行うことができる。側面クッション部２も同様な発砲プラスチック素材が適しており、目じりから耳掛けラインに沿ったこめかみ周辺を覆うことができる適度な長さがあり、皮膚に接する面は曲面形状が好ましい。
【０００１９】  図５は立体透視図である。前記本体部のクッション材には振動モータ７、電池８、スイッチ９からなる振動部材が内蔵される。前記正面クッション部１と一対の前記側面クッション部２は、ゴム質からなる適度な剛性と柔軟性を有する一対の連結部３で結合され、振動がクッション材全体に伝わる構造である。例えば、振動モータ７が正面クッション部１に内蔵された構造では、正面クッション部１の振動は連結部３を経由して側面クッション部２に伝わり、本体部のクッション材全体が振動する。内蔵された振動モータ７によるマッサージ効果がクッション材全体に伝わり易い構造を実現した。
【００２０】  本体部クッション材は中空状であってよい。図示例では、正面クッション部１および側面クッション部２は中空状であり、側面クッション部２の端部側の中空内には装着バンドが配設されている。この装着バンドは、チューブ状支持体４およびゴムバンド５を備えている。チューブ状支持体４は、耳に掛けやすい適度な屈曲性と、皮膚に接しても安全で肌触りの良い医療用素材であるシリコーン樹脂が適している。子供でも装着し易く、また、耳に掛けても負担が少ないチューブ形状であり、その外径は５ｍｍ以上で１０ｍｍ以下が好ましい。チューブ状支持体４には、伸縮性に優れたゴムバンド５を挿通させてなる装着バンドで頭部に固定する。ゴムバンド５の端末は、結束具６で結ばれ、ゴムバンド５の長さを調節することでバンド圧を任意に変えることができる。ゴムバンド５は、広く市販されている紐状のヘアバンドが適している。子供にも使用しやすく誤って強く締め付けても比較的安全であり、かつ、装脱着が容易にできるバンド形状を実現した。連結部３は、Ｌ字形状であり、一端が正面クッション部１に固着され、他端が側面クッション部２に固着されている。このような連結部３は、例えば、適度の剛度を有するゴム部材で構成されていてよく、また、中空状であってもよい。連結部３が中空状である場合、チューブ状支持体４とゴムバンド５で構成される装着バンドは、一方の側面クッション部２から、連結部３、正面クッション部１、他方の側面クッション部２に達するように、中空状の内部に延設されていてもよい。
【００２１】  次に、本考案の使用方法を説明する。
【００２２】  図６、図７は装着時の具体図である。本体部の正面クッション部１の突起面が鼻根部に接し、鼻の窪みを埋めるように装着する。側面クッション部２は、装着バンドを構成するチューブ状支持体４を耳に掛けることにより、自動的にこめかみ周辺に密着する。ゴムバンド５の長さを調整することで本体部が所定の位置に安定するようなバンド圧に調節する。強く皮膚を押圧する必要はなく、正面クッション部１の振動が接触皮膚面を揺らすような弱めのバンド圧が望ましい。使用者はリッラクできる椅子やソファーに座って、振動部材のスイッチ９を入れて振動マッサージを駆動させる。振動が皮膚に伝わることを確認し、同時に身体の緊張を緩めるような楽な姿勢を維持しながら、遠方を眺めたり、遠近交互に視線を動かしたり、眼球を左右上下等に動かす眼球運動をする。
【００２３】  例えば、室内ならば、２〜３ｍ離れた位置にあるＴＶ画面に視線を合わせる動作、また、ＴＶ画面に視線を合わせた状態で顔をゆっくり左右に振る動作、更に、眼球を左右、上下に大きく動かす動作を簡単に行うことができる。目を細めて凝視する動作よりも、瞼の力を抜いた自然な目線を意識する。眼球運動中は、出来るだけリラックスした状態を維持できる姿勢で、かつ、眼球運動はゆっくり大きく動かす動作が好ましく、効果が高い。ただし、眠気は眼球運動をし辛くし、視認動作が疎かになる恐れがあるため、時には大きく目を見開く動作、また、瞼を強く閉じる動作で眠気を解消することも必要である。更に、窓を通して屋外の風景を眺めることは、眼筋の緊張をより弛める効果がある。
【００２４】  本考案具は顔や顎の位置を自然と上向きにする、顔を真っ直ぐにした状態では本体部クッション材が視界の一部（上部領域）を遮ることになり視認動作がし辛いため、自ずと顎は上がり、顔は上向姿勢になる。近見作業は下向姿勢を強いることが多く、それとは真逆な動きとなり、視力回復に効果的な姿勢を自然と実現できる。
【００２５】  図５の透視図は振動部材の一例である。振動部材である振動モータ７は、偏心錘を有する回転モータによるバイブレーション機能と、ソレノイドによるピストン運動の一方、もしくは両機能を選択できる。前記振動モータ７を正面クッション部１の位置に内蔵するケースでは回転モータによるバイブレーション機能、もしくはピストン運動との併用が好ましく、側面クッション部２の位置にはピストン運動のみが適している。側面クッション部２は、耳に近い位置にありモータ音の懸念があるためである。回転モータによるバイブレーション機能とピストン運動の選択は、眼球運動がスムーズに進み、かつ、眼球運動中もリラックス状態を継続できるような使用方法が望ましい。
【００２６】  例えば、装着初期は両振動機能を駆動することで、眼部をより早くリラックスした状態にすることができる。また、ＴＶ画面を注視しながら眼球運動する時には、回転モータを止めて、ピストン運動のみの使用で構わない。更に、眼球を大きく動かす運動では、回転モータによるバイブレーション機能のみでも効果に顕著な差はない。振動機能の選択は、偏心錘を有する回転モータによるバイブレーション機能を主に構成し、ピストン運動は副として構成することが好ましい。
【００２７】  使用時間の目安は一回当たり１０〜１５分程度が好ましく、一日に二回の使用で最大３０分が適している。過度の使用は、目に疲労感や表情筋に疲れを発生させる懸念があり避ける。使用後は目の周りや顔を素手等で良くマッサージすることを推奨する、目の疲れや表情筋の疲労を低減できる。特に、入浴時に眼の周りや顔をマッサージすることは効果的である。本考案のマッサージ器を適正に使用し、かつ必要な眼球運動を行ことで、近視を矯正する目安としては、例えば、２０〜３０分の矯正訓練を毎日行って、近視度数１Ｄ（ディオプター）を矯正するのに約６０日程度は必要である。この条件は、近視度数がマイナス５Ｄ以下の弱近視〜中近視の方の例であり、メガネ又はコンタクトレンズを常時必要とせず、少なくとも家庭内では眼鏡を外して生活きる方の実施例である。近視度数がマイナス５Ｄを超えるか、常時メガネ又はコンタクトレンズを使用されている方は、矯正日数は長くなると言わざるを得ない。
【００２８】  上述の実施形態は例示であり、本考案はこのような実施形態に限定されるものではない。例えば、上述の実施形態では、装着バンドはチューブ状支持体４およびゴムバンド５を備えるものであるが、ゴムバンド５を備えないものであってもよい。また、本体部の皮膚当接面は曲面形状であり、正面クッション部１が備える突起面１ａは、正面クッション部１の中央部において正面クッション部１の周方向全域に亘って突出した形状であるが、少なくとも、鼻根部側に突出した突起面であればよく、これによりに突起面１ａを除く正面クッション部１は瞼から確実に離間するものとなる。さらに、図７に鎖線で示すように、正面クッション部１の下側に、切り欠きを設け、眼球運動の効果に支障を与えない範囲で視野を拡げてもよい。
【産業上の利用可能性】
【００２９】  本考案は、子供から大人まで、近視、乱視、老視等の視力低下で困っている方々に有効であり、家庭で誰もが容易に使用でき、目の周りを効果的にマッサージしながら同時に眼球運動ができる視力回復マッサージ器であり、目を酷使する現代においては、目の健康維持に欠かせない必需品として期待できる。
【符号の説明】
【００３０】１  正面クッション部
１ａ  突起面
２  側面クッション部
３  連結部
４  チューブ状支持体
５  ゴムバンド
６  結束具
７  振動モータ
８  電池
９  スイッチ
【図１】
0003213974.tif 000003
【図２】
0003213974.tif 000004
【図３】
0003213974.tif 000005
【図４】
0003213974.tif 000006
【図５】
0003213974.tif 000007
【図６】
0003213974.tif 000008
【図７】
0003213974.tif 000009